(57)【要約】  廃熱を使用して空気を予熱する回転式熱交換器は、加熱された排気ガスと新鮮な空気の流れとの間で熱交換を行わせるために、ハウジングの第１の開口部と第２の開口部との間で移動可能な複数の熱伝達エレメントを具備する。少なくとも１つの熱伝達エレメントは、流れ方向に対して第１の角度方向に向けて、間隔を空けて形成された複数の細長いノッチを有する第１のプレートを具備する。プレートは、流れ方向に対して第２の角度方向に向けて、間隔を空けて形成された複数の細長い起伏をさらに備え、ここで第１の角度は第２の角度とは異なっている。前記複数の細長いノッチのそれぞれの第１の高さは、前記複数の細長い起伏部のそれぞれの第２の高さよりも大きい。熱伝達エレメントは、回転式熱交換器に設置するために容器に積み重ねることができる。【選択図】図５
2020525750.tif 000002
【特許請求の範囲】
【請求項１】
流れ方向を有する回転式熱交換器用の熱伝達エレメントであって、前記熱伝達エレメントは、
間隔を空けて形成された複数の細長いノッチを有するプレートであって、前記細長いノッチの各々は、前記流れ方向に対して第１の角度に向けられ、前記プレートの表面から第１の高さを有することを特徴とする、プレートを具備し、
前記プレートは、間隔を空けて形成された複数の細長い起伏部をさらに有し、前記細長い起伏部の各々は、前記流れ方向に対して第２の角度に向けられ、前記プレートの表面から第２の高さを有し、
前記複数の細長いノッチの各々の前記第１の高さは、前記複数の細長い起伏部の各々の前記第２の高さよりも高く、
前記第１の角度は前記第２の角度とは異なる、
ことを特徴とする熱伝達エレメント。
【請求項２】
前記第１の角度は前記流れ方向に対して５°から４５°の範囲であることを特徴とする請求項１に記載の熱伝達エレメント。
【請求項３】
前記第１の角度は前記流れ方向に対して２０°であることを特徴とする請求項１に記載の熱伝達エレメント。
【請求項４】
前記第２の角度は前記流れ方向に対して０°から−９０°の範囲であることを特徴とする請求項１に記載の熱伝達エレメント。
【請求項５】
前記第２の角度は前記流れ方向に対して−３０°であることを特徴とする請求項１に記載の熱伝達エレメント。
【請求項６】
前記第２の高さは前記第１の高さの２０％から７０％の間であることを特徴とする請求項１に記載の熱伝達エレメント。
【請求項７】
前記複数の細長いノッチの各々は前記プレートの前記表面に対して第１の深さを有し、前記複数の起伏部の各々は前記プレートの前記表面に対して第２の深さを有し、前記第２の深さは前記第１の深さより浅いことを特徴とする請求項１に記載の熱伝達エレメント。
【請求項８】
第１のガス流と流体連通する第１の開口部と、第２のガス流と流体連通する第２の開口部とを備えたハウジングを有する回転熱交換器用の熱伝達エレメント容器であって、前記第１のガス流及び前記第２のガス流は流れ方向を有し、前記熱伝達エレメント容器は、
それらの間に空間を画定する一対の支持部材と、
前記一対の支持部材の間の前記空間に積み重ねられた複数の熱伝達エレメントと、を具備し、
前記複数の熱伝達エレメントの少なくとも１つは、
間隔を空けて形成された複数の細長いノッチを有する第１のプレートであって、前記細長いノッチの各々は前記流れ方向に対して第１の角度に向けられ、前記第１のプレートの表面から第１の高さを有することを特徴とする第１のプレートを具備し、
前記第１のプレートは、間隔を空けて形成された複数の細長い起伏部をさらに有し、前記細長い起伏部の各々は、前記流れ方向に対して第２の角度に向けられ、前記第１のプレートの表面から第２の高さを有し、
前記複数の細長いノッチの各々の前記第１の高さは、隣接する熱伝達エレメント同士の間に第１のガス流及び第２のガス流のためのチャンネルを画定するために、前記複数の細長い起伏部の各々の前記第２の高さよりも高く、
前記第１の角度は前記第２の角度とは異なる、
ことを特徴とする熱伝達エレメント容器。
【請求項９】
前記第１の角度は前記流れ方向に対して５°から４５°の範囲であることを特徴とする請求項８に記載の熱伝達エレメント容器。
【請求項１０】
前記第１の角度は前記流れ方向に対して２０°であることを特徴とする請求項８に記載の熱伝達エレメント容器容器。
【請求項１１】
前記第２の角度は前記流れ方向に対して０°から−９０°の範囲であることを特徴とする請求項８に記載の熱伝達エレメント容器。
【請求項１２】
前記第２の角度は前記流れ方向に対して−３０°であることを特徴とする請求項８に記載の熱伝達エレメント容器。
【請求項１３】
前記第２の高さは前記第１の高さの２０％から７０％の間であることを特徴とする請求項８に記載の熱伝達エレメント容器。
【請求項１４】
前記複数の細長いノッチの各々は前記プレートの前記表面に対して第１の深さを有し、前記複数の起伏部の各々は前記プレートの前記表面に対して第２の深さを有し、前記第２の深さは前記第１の深さより浅いことを特徴とする請求項８に記載の熱伝達エレメント容器。
【請求項１５】
前記複数の熱伝達エレメントのうちの少なくとも２番目のものは、
前記第１のプレートに平行に隣接する第２のプレートであって、間隔を空けて形成された複数の細長いノッチ及び前記複数の細長いノッチの間に形成された複数の細長い起伏部を有することを特徴とする第２のプレートを具備し、
前記第２のプレートの前記複数の細長いノッチは前記第１のプレートの前記複数の細長いノッチと交差する方向に向き、前記第２のプレートの前記複数の起伏部は、前記第１のプレートの前記複数の起伏部と交差する方向に向く、
ことを特徴とする請求項８に記載の熱伝達エレメント容器。
【請求項１６】
流れ方向を有する回転式熱交換器用の熱伝達エレメントであって、前記熱伝達エレメントは、
間隔を空けて形成された複数の細長いノッチを有するプレートであって、前記細長いノッチの各々は、前記流れ方向に対して第１の角度に向けられていることを特徴とするプレートと、
前記複数の細長いノッチの間に間隔を空けて形成された複数のタービュレータであって、前記複数のタービュレータは、２次元パターンで構成されていることを特徴とするタービュレータと、
を具備することを特徴とする熱伝達エレメント。
【請求項１７】
前記２次元パターンには、タービュレータの行と列が含まれることを特徴とする請求項１６に記載の熱伝達エレメント。
【請求項１８】
前記複数のタービュレータには、複数の半球状のディンプルが含まれることを特徴とする請求項１６に記載の熱伝達エレメント。
【請求項１９】
前記複数のタービュレータには、複数の菱形の突起が含まれることを特徴とする請求項１６に記載の熱伝達エレメント。
【請求項２０】
前記複数の細長いノッチの各々は第１の高さを有し、前記複数のタービュレータの各々は第２の高さを有し、前記第１の高さは前記第２の高さより高いことを特徴とする請求項１６に記載の熱伝達エレメント。
【請求項２１】
隣接するタービュレータ同士の間隔は、隣接する細長いノッチ同士の間隔より小さいことを特徴とする請求項１６に記載の熱伝達エレメント。
【請求項２２】
前記タービュレータの行は前記流れ方向に対して第２の角度に向けられ、前記第２の角度は、前記第１の角度とは異なることを特徴とする請求項１７に記載の熱伝達エレメント。
【請求項２３】
前記第２の角度は４５°であることを特徴とする請求項２２に記載の熱伝達エレメント。
【請求項２４】
第１のガス流と流体連通する第１の開口部と、第２のガス流と流体連通する第２の開口部とを備えたハウジングを有する回転熱交換器用の熱伝達エレメント容器であって、前記第１のガス流及び前記第２のガス流は流れ方向を有し、前記熱伝達エレメント容器は、
それらの間に空間を画定する一対の支持部材と、
前記一対の支持部材の間の空間に積み重ねられた複数の熱伝達エレメントと、を具備し、
前記複数の熱伝達エレメントの少なくとも１つは、
間隔を空けて形成された第１の複数の細長いノッチを有する第１のプレートであって、前記第１の複数の細長いノッチの各々は流れ方向に対して第１の角度に向けられていることを特徴とする第１のプレートと、
前記第１の複数の細長いノッチの間に間隔を空けて前記第１のプレートに形成された第１の複数のタービュレータであって、前記第１の複数のタービュレータは２次元パターンで構成されていることを特徴とする第１の複数のタービュレータと、
を具備することを特徴とする、
熱伝達エレメント容器。
【請求項２５】
前記２次元パターンには、タービュレータの行と列が含まれることを特徴とする請求項２４に記載の熱伝達エレメント容器。
【請求項２６】
前記第１の複数のタービュレータには、複数の半球状のディンプルが含まれることを特徴とする請求項２４に記載の熱伝達エレメント容器。
【請求項２７】
前記第１の複数のタービュレータには、複数の菱形の突起が含まれることを特徴とする請求項２４に記載の熱伝達エレメント容器。
【請求項２８】
前記第１の複数の細長いノッチの各々は第１の高さを有し、前記第１の複数のタービュレータの各々は第２の高さを有し、前記第１の高さは前記第２の高さより高いことを特徴とする請求項２４に記載の熱伝達エレメント容器。
【請求項２９】
前記第１のプレートにおける隣接するタービュレータ同士の間隔は、隣接する細長いノッチ同士の間隔より小さいことを特徴とする請求項２４に記載の熱伝達エレメント容器。
【請求項３０】
前記第１のプレートにおける前記タービュレータの行は前記流れ方向に対して第２の角度に向けられ、前記第２の角度は、前記第１の角度とは異なることを特徴とする請求項２５に記載の熱伝達エレメント容器。
【請求項３１】
前記第２の角度は４５°であることを特徴とする請求項３０に記載の熱伝達エレメント容器。
【請求項３２】
前記複数の熱伝達エレメントのうちの少なくとも２番目のものは、
前記第１のプレートに平行に隣接する第２のプレートであって、前記第２のプレート中に形成され、２次元パターンに配置された第２の複数のタービュレータを有することを特徴とする第２のプレートを具備することを特徴とする請求項２４に記載の熱伝達エレメント容器。
【請求項３３】
前記第２のプレートにおける前記第２の複数のタービュレータの前記２次元パターンは、前記第１のプレートにおける前記第１の複数のタービュレータの前記２次元パターンとは異なることを特徴とする請求項３２に記載の熱伝達エレメント容器。
【請求項３４】
前記第２の複数のタービュレータの前記２次元パターンにはタービュレータの行と列が含まれることを特徴とする請求項３２に記載の熱伝達エレメント容器。
【発明の詳細な説明】
【技術分野】
【０００１】
（関連出願の相互参照）
本特許出願は、２０１７年６月２９日に出願された通常の米国特許出願第１５／６３６，６７３号、及び２０１７年９月１３日に出願された通常の米国特許出願第１５／７０３，０９２号の両方に基づく優先権を主張するものであり、その全体が参照により本明細書に組み込まれるものとする。
【０００２】
本発明の実施形態は、回転式熱交換器用の熱伝達エレメントに関する。
【背景技術】
【０００３】
従来の石炭火力発電プラントでは、蒸気駆動タービンを使用して発電している。ボイラーで水を加熱し蒸気を発生させるために石炭を燃焼させる。石炭火力発電プラントの効率は長年にわたって改善されてきたが、石炭を燃焼させるプロセスにおいて、回転式空気予熱器及び回転式ガス／ガスヒーター中の熱伝達エレメントのコールドエンド層のようなコンポーネントのファウリングやバックエンド腐食を引き起こす可能性のある粒子状物質が生じ、これに対するメンテナンス費用が必要となる。これまで、このような熱交換器の研究は、主に石炭焚きボイラーに適合する熱伝達エレメントプロファイルを開発すること、特にコールドエンドファウリングに関する問題を緩和することに集中していた。
【０００４】
天然ガスは、熱効率と排出削減の点で石炭に対する魅力的な代替品であるが、最近まで石炭よりも高価であり、石炭ほど容易に入手できなかった。最近の水圧破砕の開発により、利用可能性が向上し、天然ガスのコストが削減された。その結果、多くの石炭焚きボイラーが現在、天然ガス燃焼に変換されつつある。しかし、もともと石炭焚きボイラー用に設計された回転式熱交換器などのコンポーネントは、天然ガス又は「フラッキング」ガスに備わる、クリーンで少量のガス排出となり高い熱ポテンシャルを有するという利益が十分には得られない。したがって、クリーンな燃料のために使用される回転式熱交換器及び熱伝達エレメントの改善が必要となる。
【発明の概要】
【０００５】
本発明の１つの態様では、第１のガス流と流体連通する第１の開口部と、第２のガス流と流体連通する第２の開口部とを備えたハウジングを有する回転熱交換器用の熱伝達エレメント容器を具備し、第１のガス流及び第２のガス流は流れ方向を有する。熱伝達エレメント容器は、それらの間に空間を画定する一対の支持部材と、一対の支持部材の間の空間に積み重ねられた複数の熱伝達エレメントとを具備する。複数の熱伝達エレメントの少なくとも１つは、間隔を空けて形成され、流れ方向に対して第１の角度に向けられた複数の細長いノッチを有する第１のプレートを具備する。このプレートは、ノッチとノッチの間に形成されて流れ方向に対して第２の角度方向に向けられた、複数の細長い起伏部をさらに具備し、第１の角度は第２の角度とは異なっている。複数の細長いノッチのそれぞれの第１の高さは、複数の細長い起伏部のそれぞれの第２の高さよりも高い。
【０００６】
本発明の実施形態では、上記と実質的に同じで支持部材と支持部材との間に交互に積み重ねられた複数の熱伝達エレメントを含むことができ、隣接する熱伝達エレメントはエレメントとエレメントとを好ましい間隔に維持し、ガス流とエレメントとの間の熱交換を増大させるために、乱流を生じさせるよう互いに逆方向に向けられる。例えば、熱伝達エレメント容器は、間隔を空けて形成された複数の細長いノッチと、これらの複数の細長いノッチとノッチとの間に形成された複数の細長い起伏部とを有する第２のプレートであって、第１のプレートに平行であって隣接することを特徴とする第２のプレートを有する、第２の熱伝達エレメントを具備することができる。第２のプレートの複数の細長いノッチは、プレートとプレートとの間に間隔を画定するために、第１のプレートの複数の細長いノッチと交差する方向に向けることができ、第２のプレートの複数の起伏部は、ガスの流れに乱流を生じさせて熱伝達を改善するために、第１のプレートの複数の起伏部と交差する方向に向けることができる。
【０００７】
本発明の別の態様では、流れ方向を有する回転式熱交換器用の熱伝達エレメントを具備する。１つの実施形態では、熱伝達エレメントは、間隔を空けて形成された複数の細長いノッチを有するプレートを具備する。細長いノッチはそれぞれ、流れ方向に対して第１の角度方向に向けられ、プレートの表面から第１の高さを有する。プレートはさらに、間隔を空けて形成された複数の細長い起伏部を有する。細長い起伏部はそれぞれ、流れの方向に対して第２の角度方向に向けられ、プレートの表面から第２の高さを有する。複数の細長いノッチのそれぞれの、第１の高さは、複数の細長い起伏部のそれぞれの、第２の高さよりも高く、第１の角度は第２の角度とは異なる。
【０００８】
ノッチを構成することは、熱伝達エレメント容器に積み重ねられたときに、エレメントとそれに隣接するエレメントとの間で望ましい間隔を維持するのに役立ち、起伏部を構成することは、乱流を生じさせ空気又はガスとエレメントとの間での熱交換を増加させるのに役立つ。
【０００９】
本発明の熱伝達エレメント及び容器により、回転式熱交換器からの排ガス出口温度を大幅に低下させることができ、結果として発熱率を低下させることができ、その利点により、乱流を増大させることによる圧力低下に対処するために必要となるファン出力のわずかな増加を相殺することができる。クリーンな排ガスを放出する発電プラントで使用する場合、ファウリングは最小となるため、圧力降下ドリフトの傾向はみられない。
【図面の簡単な説明】
【００１０】
【図１】本発明の例示的な実施形態による熱伝達エレメント容器を利用することができる回転式熱交換器を備えた発電プラントの概略図である。
【図２】本発明の例示的な実施形態による熱伝達エレメント容器を使用することができるタイプの回転式熱交換器の部分断面斜視図である。
【図３】本発明の例示的な実施形態による回転式熱交換器用の熱伝達エレメント容器の斜視図である。
【図４】本発明の例示的な実施形態による熱伝達エレメントの平面図である。
【図４Ａ】区間４Ａ−４Ａで切り取った図４の熱伝達エレメントの断面図である。
【図５】本発明の例示的な実施形態による互いに隣接する熱伝達エレメントの斜視図である。
【図６】本発明の別の例示的な実施形態による互いに隣接する熱伝達エレメントの斜視図である。
【図７】本発明のさらに別の例示的な実施形態による熱伝達エレメントの平面図である。
【図７Ａ】区間７Ａ−７Ａで切り取った図７の熱伝達エレメントの断面図である。
【図８】本発明のさらにまた別の例示的な実施形態による熱伝達エレメントの平面図である。
【図８Ａ】区間８Ａ−８Ａで切り取った図８の熱伝達エレメントの断面図である。
【図９】本発明のさらなる例示的な実施形態による熱伝達エレメントの斜視図である。
【図１０】本発明の付加的で例示的な実施形態による熱伝達エレメントの斜視図である。
【発明を実施するための形態】
【００１１】
本発明の概念は、添付図面を参照しながら本明細書に詳細説明された特定の実施形態を通じて最もよく説明されており、類似の参照番号は全体を通して類似の要素を示す。本明細書で使用されている発明という用語は、単に実施形態自体を示すものではなく、以下に説明する実施形態の根底にある発明概念をも示すことを意図していることを理解すべきである。さらに、ここに示す一般的な発明概念は以下に記載する説明のための実施形態に限定されるものではないのであって、以下の説明はそのような観点から読まれるべきであることを理解すべきである。
【００１２】
本発明による熱伝達エレメントを備えた回転式熱交換器１２を組み込むことができるタイプの例示的な発電プラント１０を図１に示す。発電プラント１０は、電気を発生させるために、蒸気タービン１６に結合された発電機１４を含む。タービン１６は、ボイラー１８からの蒸気によって駆動され、ボイラー１８は、吸気口２０を介して燃焼用の空気を吸引し、排気口２２を介して燃焼ガスを排出する。 ファン２４ａ及び２４ｂは、空気をボイラー吸気口２０に供給し、ダスト除去システム２６を介して排気口２２から燃焼ガスを引き出し、その後大気に放出するために使用することができる。ボイラーから排出される燃焼ガスからの熱を使用してボイラー１８に入る空気を予熱するために、回転再生式熱交換器１２を吸気口２０及び排気口２２に隣接して配置することができる。回転再生式熱交換器は、ガスガスヒーターに使用して、プラントからの排気を抑制することもできる。
【００１３】
ここで図２を参照すると、本発明の例示的な実施形態による熱伝達エレメント及び容器を利用する回転式熱交換器１２の部分断面斜視図が示されている。回転式熱交換器１２は、第１のダクト又は開口部３０及び第２のダクト又は開口部３２を備えたハウジング２８を含む。第１の開口部３０はボイラー吸気口２０と連通し、第２の開口部３２はボイラー排気口２２と連通している。複数の熱伝達エレメント容器３６を含むローター３４は、ローター内の熱伝達エレメント容器３６が開口部３０及び３２を通過するように、ハウジング２８内で回転するように取り付けられ、したがって、容器内の熱伝達エレメントは第２の開口部の位置にあるときは排気ガスにより加熱され、第１の開口部３０の位置にあるときは空気を予熱する。
【００１４】
図３は、本発明の例示的な実施形態による回転式熱交換器用の熱伝達エレメント容器又はパック３６の斜視図である。熱伝達エレメント容器３６は、一対の支持部材４０の間に積み重ねて配置されたシート又はプレートの形態で、複数の熱伝達エレメント３８を含む。例示的な実施形態では、支持部材はエンドプレートとすることができる。図示の例では、シートは、水平方向に間隔を置いて配置されたエンドプレートの間に、垂直方向に向けられた長方形のシートである。シートは同じ高さで、水平方向に幅が広くなり、上から見たときに台形の断面形状となる。この例のように容器３６を台形形状とすることで、このタイプの複数の容器を回転式熱交換器のローター内に円形パターン又はリング状に配置することが可能になる。例示した熱伝達エレメント容器３６はまた、アセンブリを構造的な支えを補強するために支持部材４０の間で熱伝達エレメント３８の上下に延びる１つ以上の支持バー４２、及び／又は付加的なサポートのためにこの１つ以上の支持バー４２を横切って延びる１つ以上の補強バー４４を含むことができる。１つ以上のスチールバンド４６をアセンブリの周りに巻き付けて、輸送中のエレメント３８の保持を補助することができる。ここに記載した熱伝達エレメントのいずれも、このような容器で使用することができる。
【００１５】
図４は、本発明の例示的な実施形態による熱伝達エレメント３８の平面図である。熱伝達エレメント３８は、排気ガスにさらされると高温にまで加熱され、周囲温度で流入する空気にさらされると冷却されることの繰り返しに耐える、スチールのような、熱伝導性材料で形成された長方形のシート又はプレートを具備する。複数のリブ又はノッチ４８が、（例えば、ノッチの付いた外形を備えた１対のローラーを通してシートストックを供給することにより）熱伝達エレメント容器を流れる空気又はガスの方向に対して第１の角度θ１でシートに形成される。ノッチ４８は、図示のように平行であり、ノッチ同士は第１のピッチＰ１の間隔で隔てられている。例示的に２つのノッチ４８が示されているが、熱伝達エレメントを３つ以上のノッチで形成することもできることがわかる。図４Ａに示された熱伝達エレメント３８の断面図でよく分かるように、各ノッチ４８は、積み重ねたエレメント同士を好ましい間隔に保持させるよう選定された、第１の高さＨ１を有するピークと、第１の深さＤ１を有するトラフとを有する。積み重ねたエレメント同士の間隔は、空気及び／又は排気ガスが流れることができるチャネルを画定するために選択される。
【００１６】
また、（例えば、ノッチが形成される前又は同時に、波形プロファイルを備えた一対のローラーを通してシートストックを供給することにより）ノッチ４８とノッチ４８との間に複数の起伏部５０がシートに形成される。起伏部５０は、隣接する熱伝達エレメント３８間に画定されたチャネルを通って流れる空気及び／又はガスに乱流を生じさせるように構成される。起伏部５０は、熱伝達エレメント容器を通って流れる空気又は気体の方向に対して第２の角度θ２方向に向いている。図４に示す熱伝達エレメントの例では、第２の角度θ２方向は、起伏部５０がノッチ４８を横切るように、流れ方向に対して第１の角度θ１方向とは（例えば、時計回り対反時計回りに）反対の方向になるように選択される。例えば、第１の角度が空気／ガスの流れの方向から反時計回りに測定される場合、第２の角度は空気／ガスの流れの方向から時計回りに測定される。図示のように、第１のピッチＰ１よりも小さい第２のピッチＰ２で起伏部５０は互いに平行とすることができる。図４Ａに示される熱伝達エレメント３８の断面図でよく分かるように、起伏部５０はそれぞれ、第１の高さＨ１よりも小さい第２の高さＨ２と、第１の深さＤ１よりも小さい第２の深さＤ２とを有することができる。
【００１７】
例示的な実施形態では、第１の角度θ１は５°から４５°の範囲とすることができ、第２の角度θ２は０°から−９０°の範囲とすることができる。別の例では、第１の角度θ１は２０°とすることができ、第２の角度θ２は−３０°とすることができる。例示的な実施形態では、第１の高さＨ１及び第１の深さＤ１はそれぞれ５〜９ｍｍとすることができ、第２の高さ及び第２の深さＨ２及びＤ２はそれぞれ３ｍｍとすることができ、第１のピッチＰ１は３５ｍｍとすることができ、第２のピッチＰ２は１５ｍｍとすることができる。
【００１８】
図５は、本発明の例示的な実施形態に従って積み重ねられた一対の熱伝達エレメント３８及び３８’の斜視図である。第１の熱伝達エレメント３８は、第２の熱伝達エレメント３８’の詳細を見ることができるように部分的に切り取られて示されている。両方の熱伝達エレメント３８及び３８’は、図４に示すような構成を有する。しかし、空気の流れの方向に対するそれぞれの向きは、互いに逆になっている。すなわち、積み重ねた熱伝達エレメント全体を通して１つの熱伝達エレメント上で対角線上に間隔を隔てたノッチが隣接する熱伝達エレメント上で対角線上に間隔を隔てたノッチを横切るように、第１の熱伝達エレメント３８は第１の向きを有し、第２の熱伝達エレメント３８’は第１の向きに対して１８０°回転した第２の向きを有する。
【００１９】
対角線上に間隔を空けて交差するノッチ４８及び４８’は、隣接する熱伝達エレメント間の好ましいギャップ又は間隔を維持する機能を果たす。ノッチの数、角度、及びピッチは、圧縮されたときにしっかりとした堅固な集合体を形成させるために十分な数の接触点を持つことに寄与する。ノッチ４８及び４８’の対角線が交差することにより、スキューフローを回避するのに役立ち、エレメントの集合体の全断面での流れ領域全般にわたって均一な流れを維持する。
【００２０】
それぞれの熱伝達エレメント３８及び３８’のノッチ間の傾斜した起伏部５０及び５０’は、乱流を生じさせるタービュレータとして作用する。特に低いガス速度とレイノルズ数において熱伝達を改善するために、乱流を生じさせる傾斜した起伏部５０及び５０’が組み込まれる。したがって、ここで説明するタイプの高効率熱伝達エレメントは、従来の石炭焚きボイラーと比較して煙道ガス出口温度が大幅に低下する可能性のあるフラッキングガス焚きに適している。強い乱流により生じる圧力低下の増加は最小限であり、熱効率が良くなることによる利益は、必要とされるわずかなファン出力の増加による不利益をはるかに上回る。また、クリーンな煙道ガスはファウリングを引き起こさないため、圧力降下ドリフトの傾向はみられない。例示の目的で２つの熱伝達エレメントが示されているが、図示のように積み重ね構成には交互の向きが変わる３つ以上の熱伝達エレメントが含まれることがわかる。図５に示される熱伝達エレメントは、互いに交互に積み重ねることができ、又はここに記載の他の熱伝達エレメントのいずれかと交互に積み重ねることができる。
【００２１】
図６は、本発明の別の例示的な実施形態による、一対の積み重ねられた熱伝達エレメント５２及び５２’の斜視図である。熱伝達エレメント５２及び５２’は同じように構成されているが、向きが逆になっている。熱伝達エレメント５２及び５２’の各々は、それぞれ複数のディンプル５４又は５４’によって分離された複数の傾斜したノッチ４８又は４８’をそれぞれ含む。傾斜したノッチ４８及び４８’は、上述のものと同じである。しかし、起伏部の代わりに、ノッチ４８と４８’間にディンプル５４及び５４’が（例えば、ノッチが形成される前又は形成されると同時に、シートストックを一対のディンプルのあるローラーに通すことにより）形成される。例示的な実施形態では、ディンプル５４及び５４’は半球状であり、凹面又は凸面のいずれかとすることができる。例示的な実施形態では、傾斜したノッチの各対の間に２列又は３列のディンプルが形成される。列は、示されるようにノッチに平行であっても、ノッチに対して傾斜していてもよい。隣接する列のディンプルは、互いに整列させることも、互い違いにすることもできる。例示的な実施形態では、ディンプルの深さはノッチの高さ／深さよりも小さく、隣接するディンプル間の間隔はノッチ間の間隔よりも小さい。起伏部と同様に、ノッチ間のディンプルは乱流を引き起こすタービュレータとして機能する。乱流を引き起こすディンプルは熱伝達を改善し、フラッキングガス燃焼やその他の用途での使用を手助けする。さらに、例示の目的で２つの熱伝達エレメントが示されているが、積み重ねには、示されるように交互に向きが変わる３つ以上の熱伝達エレメントを有することができることが理解できる。図６の熱伝達エレメントは、ここに記載の他の熱伝達エレメントのいずれかと交互に積み重ねることができる。
【００２２】
図７は、本発明のさらに別の例示的な実施形態による熱伝達エレメント５６の平面図である。図７Ａは、区間７Ａ−７Ａで切り取った図７の熱伝達エレメント５６の断面図である。熱伝達エレメント５６は、空気流の方向に平行な方向に向けられた一対のノッチ４８と、ノッチ間に形成された複数のディンプル５４とを含む。ディンプル５４は、傾斜した行からなる２つの列として配置され、各行は３つのディンプルを具備し、空気及び／又はガスの流れの方向に対してある角度をもたせている。例示的な実施形態では、ディンプル５４の列はそれぞれ、空気及び／又はガスの流れの方向に対して約４５°の角度で配置されている。図６の熱伝達エレメントと同様に、図７の熱伝達エレメントのディンプルの形状は半球形とすることができ、深さはノッチの高さ／深さより小さくすることができ、隣接するディンプル間の間隔をノッチ間の間隔より小さくすることができる。ノッチ間のディンプルは乱流を引き起こすタービュレータとして機能する。乱流を引き起こすディンプルは熱伝達を改善し、フラッキングガス燃焼やその他の用途での使用を容易にする。図７の熱伝達エレメントは、図６の熱伝達エレメント又はここに記載の他の熱伝達エレメントのいずれかと交互に積み重ねることができる。
【００２３】
図８は、本発明のさらに別の例示的な実施形態による熱伝達エレメント５８の平面図である。図８Ａは、区間８Ａ−８Ａで切り取った図８の熱伝達エレメント５８の断面図である。この実施形態では、複数のディンプル５４が、複数の列及び行で熱伝達エレメント５８に形成される。例示的な実施形態では、それぞれ３つのディンプルを含む行から成る少なくとも３つの列が示されている。ただし、行には、示されているよりも少ないか又は多いディンプルが含まれている場合がある。ディンプルの列は、空気の流れ方向に対してある角度をもたせている。例示的な実施形態では、ディンプルの列は、空気の流れの方向に対して約４５°の角度で配置されている。ディンプルは乱流を引き起こすタービュレータとして機能する。乱流を引き起こすディンプルは熱伝達を改善し、フラッキングガス燃焼やその他の用途での使用を容易にする。図８の熱伝達エレメントは、図７の熱伝達エレメント又はここに記載の他の熱伝達エレメントのいずれかと交互に積み重ねることができる。
【００２４】
図９は、本発明のさらなる例示的な実施形態による熱伝達エレメント６０の斜視図である。図９の熱伝達エレメント６０は、乱流を引き起こすタービュレータとして機能する菱形の隆起又は突起部６２の繰り返しパターンを含む。乱流を引き起こす菱形パターン６２は、接触する点の数を増やし、熱伝達を改善して、フラッキングガス燃焼及び他の用途での使用を容易にする。菱形形状の隆起又は突起部６２は、第１のローラーの起伏部の角度が第２のローラーの起伏部の角度と反対になるようにシートを二重圧延することによって形成することができる。例えば、第１のローラーは、空気／ガスの流れの方向に対して＋３０°の角度方向に向けられた起伏部を作り出すように構成し、第２のローラーは、空気／ガスの流れの方向に対して−３０°の角度方向に向けられた起伏部を作り出すように構成することができる。このプロセスにより、菱形のプロファイルが作り出され、起伏部の角度を変更して菱形形状を変更することができる。図９の熱伝達エレメントは、図７の熱伝達エレメントと、又は空気／ガスの流れの方向に平行な起伏状又は波形状のプロファイルを有する熱伝達エレメントと、又はここに記載した他の熱伝達エレメントと、交互に積み重ねることができる。
【００２５】
図１０は、本発明の付加的で例示的な実施形態による熱伝達エレメント６４の斜視図である。図１０の熱伝達エレメント６４は、乱流を引き起こすタービュレータとして機能する隆起又は突起部６６の複雑なパターンを含む。図１０の乱流を引き起こすパターンは、接触する点の数を増やし、熱伝達を改善して、フラッキングガス燃焼及び他の用途での使用を容易にする。図１０に示すパターンは、空気／ガスの流れの方向に対して角度を持たせた起伏部を作り出すためにシートを波状のローラーに通し、その後、空気／ガスの流れの方向に平行な波状部を生成する波形ローラーに通すことによって形成することができる。このプロセスは、波状部の側面に隆起６６を作り、乱流を引き起こし、熱伝達を改善する。図１０の熱伝達エレメントは、傾斜した起伏部（例えば、図１０の熱伝達エレメントの起伏部と反対の角度方向に向けられている）を有する熱伝達エレメントと、又は図９の熱伝達エレメントと、又はここで説明した他の熱伝達エレメントのいずれかと交互に積み重ねることができる。
【００２６】
上述し、そして図面に示された実施形態は、本発明の実施形態を実施する多くの方法のうちのいくつかを表しているにすぎないことが理解されよう。例えば、図４に示す実施形態では、特定の用途に応じて又はクライアント仕様に応じて熱伝達／圧力低下の能力を最適化するために、ノッチ角度に対する起伏部の角度及びノッチ高さに対する起伏部の高さを変えることができる。また、ディンプルは半球状であると記載したが、ディンプルは、小さな球状のセグメント（例えば、ディンプルの高さ又は深さが半径よりも小さい）を含むことができ、又はピラミッド形などの他の構成を有することもできる。さらに、台形の断面を有する熱伝達エレメント容器を図示したが、容器は、長方形の断面、湾曲した断面、又は回転式熱交換器に設置するのに適した他の形状で構成できることが理解されよう。
【図１】
2020525750.tif 000003
【図２】
2020525750.tif 000004
【図３】
2020525750.tif 000005
【図４−４Ａ】
2020525750.tif 000006
【図５】
2020525750.tif 000007
【図６】
2020525750.tif 000008
【図７−７Ａ】
2020525750.tif 000009
【図８−８Ａ】
2020525750.tif 000010
【図９】
2020525750.tif 000011
【図１０】
2020525750.tif 000012
【国際調査報告】
2020525750.tif 000013
2020525750.tif 000014
2020525750.tif 000015
2020525750.tif 000016